(57)【要約】      （修正有）【課題】長時間に亘って靴を履くことによって低下した足の機能を回復することができる足半草履を提供する。【解決手段】つま先側に位置する先端部１０ａ及び土踏まずの前部側に位置する後端部１０ｂを有する楕円形であって、後端部１０ｂに土踏まず側に突出する凸部が形成された草履本体１０、草履本体１０に設けられた鼻緒２０を備える。草履本体１０の表面１０ｄは凹凸を設けて構成される。鼻緒２０は、その起立位置１０Ａが親指と人差し指との間に設定される。起立位置１０Ａに設けられた鼻緒２０の起立部２１は、親指と人差し指との間が広がるように束ねられて形成され、５本の指が草履本体１０の先端部１０ａからはみ出すように構成される。【選択図】図１
0003188536.tif 000002
【実用新案登録請求の範囲】
【請求項１】
つま先側に位置する先端部及び土踏まずの前部側に位置する後端部を有する楕円形であって、前記後端部に前記土踏まず側に突出する凸部が形成された草履本体と、
該草履本体に設けられた鼻緒と、を備え、
前記草履本体の表面は、ざる編みで凹凸を設けて構成され、
前記鼻緒は、該鼻緒の立ち上がり位置が足の親指と人差し指との間に設定され、
前記立ち上がり位置に設けられた前記鼻緒の立ち上がり部分は、前記足の親指と人差し指との間が広がるように束ねられて形成され、
足の５本の指が前記草履本体の先端部からはみ出して該先端部を把持することを特徴とする足半草履。
【請求項２】
前記鼻緒は、四ツ組編みで編み上げたことを特徴とする請求項１に記載の足半草履。
【考案の詳細な説明】
【技術分野】
【０００１】
本考案は、足半草履、特に、楕円形の草履本体を備えた足半草履に関する。
【背景技術】
【０００２】
一般的に、現代人は長時間に亘って靴を履くことから、足の指や足の関節、足の裏等を動かす機会が減少しており、長時間に亘る靴の着用は、現代人の足の機能を低下させる一因となっている。
【０００３】
例えば、靴を履くことによって足の指の自由な動きが拘束され、足の指による支持力が低下することによって脚部の筋力が低下したり、足の裏の動きが拘束されて土踏まずの部分が湾曲したアーチ状とならずに偏平足となって足のグリップ力が低下したりすることで、足の機能が低下する。
【０００４】
一方、草履を履く場合は、靴を履く場合と比べると、足の指や足の関節、足の裏を動かす自由度が比較的大きいことから、草履を履くことにより、長時間に亘って靴を履くことで低下した足の機能の回復が促される。このような、足の機能の回復を促すことを目的とした草履が、種々提案されている。
【０００５】
例えば、特許文献１には、指先側の先端部及び土踏まず付近に位置する後端部を有し、後端部から先端部に向かうに従って幅が漸次狭小となる草履本体を備えた草履が開示されている。草履本体の裏面には、下方に突出する凸部が草履本体の長尺方向に亘って設けられている。
【０００６】
特許文献１の草履によると、草履本体は、その後端部から先端部に向かうに従って幅が漸次狭小となることから、草履を履くと足の指が草履本体からはみ出すこととなり、足の指の動きの自由度が確保される。
【０００７】
さらに、草履を履いて歩行する際に草履本体が地面に着地すると、草履本体の裏面に設けられた凸部によって、足の裏の全体が押圧されて刺激が付与される。
【先行技術文献】
【特許文献】
【０００８】
【特許文献１】特開２００９−２２５９１９公報
【考案の概要】
【考案が解決しようとする課題】
【０００９】
しかし、上記特許文献１の草履によると、草履本体の後端部から先端部に向かうに従ってその幅が漸次狭小となった状態で足の指が先端部からはみ出すことから、足の指で草履本体を支持することができないものと考えられる。その結果、足の指で上体を支持することによる脚部の筋力の増強を実現することができないことが懸念される。
【００１０】
さらに、草履本体の裏面に設けられた凸部は、草履本体の長尺方向に亘って形成されていることから、土踏まずの部分を湾曲したアーチ状とすることができずに、足のグリップ力が低下することが懸念される。
【００１１】
本考案は、上記課題に鑑みてなされたものであり、その目的は、長時間に亘って靴を履くことによって低下した足の機能を回復することができる足半草履を提供することにある。
【課題を解決するための手段】
【００１２】
上記課題を解決するための請求項１に記載の考案による足半草履は、つま先側に位置する先端部及び土踏まずの前部側に位置する後端部を有する楕円形であって、前記後端部に前記土踏まず側に突出する凸部が形成された草履本体と、該草履本体に設けられた鼻緒と、を備え、前記草履本体の表面は、ざる編みで凹凸を設けて構成され、前記鼻緒は、該鼻緒の立ち上がり位置が足の親指と人差し指との間に設定され、前記立ち上がり位置に設けられた前記鼻緒の立ち上がり部分は、前記足の親指と人差し指との間が広がるように束ねられて形成され、足の５本の指が前記草履本体の先端部からはみ出して該先端部を把持することを特徴とする。
【００１３】
この構成によれば、親指と人差し指との間が広げられた状態で５本の指が楕円形に形成された草履本体の先端部からはみ出すことから、はみ出した５本の指が楕円形の草履本体の先端部を把持することによって、脚部の筋力の増強が図られる。一方、はみ出した足の指の自由度が確保されることから、足の裏を活性化させることができる。
【００１４】
これにより、足の指と連動している足の裏の拇趾球から小趾球までの一連の筋肉が刺激され、足の指の可動域が広がる。
【００１５】
さらに、草履本体を、つま先側に位置する先端部及び土踏まずの前部側に位置する後端部を有する楕円形とし、かつ後端部に土踏まず側に突出する凸部を形成することによって、土踏まずの後端部分から踵にかけて足の裏が地面から離間した状態となり、土踏まずの部分を湾曲したアーチ状とすることが促される。
【００１６】
これにより、足の関節の可動域が広げられ、転倒の防止及び偏平足の予防と改善が期待される。
【００１７】
請求項２に記載の考案による足半草履は、請求項１に記載の足半草履において、前記鼻緒は、四ツ組編みで編み上げたことを特徴とする。この構成によれば、鼻緒を四ツ組編みで硬く編み上げることによって、足半草履を履くことにより鼻緒が伸びることが抑制され、かつ足の甲に接触する部分の肌触りが向上して足になじみやすくなる。
【考案の効果】
【００１８】
この考案によると、楕円形の草履本体から５本の指がはみ出して足の指の自由度が確保されることから、５本の指が楕円形の草履本体の先端部を把持することによって、足の裏の活性化が促される。さらに、土踏まずの後端部分から踵にかけて、足の裏が地面から離間した状態となり、土踏まずの部分を湾曲したアーチ状とすることが促される。その結果、足の裏の筋肉が刺激されて足の裏が活性化され、足の機能を回復することができる。
【図面の簡単な説明】
【００１９】
【図１】本考案の実施の形態に係る足半草履の概略を説明する平面図である。
【図２】図１のＡ矢視図である。
【図３】本実施の形態に係る足半草履を履いた状態の概略を説明する図である。
【図４】本実施の形態に係る足半草履の編み方の概略を説明する図である。
【図５】同じく、本実施の形態に係る足半草履の編み方の概略を説明する図である。
【図６】同じく、本実施の形態に係る足半草履の編み方の概略を説明する図である。
【図７】同じく、本実施の形態に係る足半草履の編み方の概略を説明する図である。
【図８】同じく、本実施の形態に係る足半草履の編み方の概略を説明する図である。
【図９】同じく、本実施の形態に係る足半草履の編み方の概略を説明する図である。
【図１０】同じく、本実施の形態に係る足半草履の編み方の概略を説明する図である。
【図１１】同じく、本実施の形態に係る足半草履の編み方の概略を説明する図である。
【図１２】同じく、本実施の形態に係る足半草履の編み方の概略を説明する図である。
【図１３】同じく、本実施の形態に係る足半草履の編み方の概略を説明する図である。
【考案を実施するための形態】
【００２０】
次に、図１〜図１３を参照して、本考案の実施の形態について説明する。図１は、本考案の実施の形態に係る足半草履の概略を説明する平面図、図２は、図１のＡ矢視図、図３は、本実施の形態に係る足半草履を履いた状態の概略を説明する図である。図示のように、足半草履１は、草履本体１０及び草履本体１０に設けられた鼻緒２０を主要構成として備える。
【００２１】
草履本体１０は、つま先側に位置する先端部１０ａ及び土踏まずの前部側に位置する後端部１０ｂを有する楕円形の外縁１０ｃを有し、その表面１０ｄ及び裏面１０ｅは、ざる編みによって凹凸を有する面に編み上げられている。草履本体１０の裏面１０ｅには、革製の底敷３０が貼着されている。
【００２２】
この草履本体１０の後端部１０ｂには、土踏まず側に突出する凸部１１が形成されており、図３で示すように、足半草履１を履くと土踏まずの前部側を凸部１１が押圧して刺激を付与するように構成されている。
【００２３】
鼻緒２０は、四ツ組編みで編み上げられた綱状であって、立ち上がり部分となる起立部２１、起立部２１から親指側に分岐する第１鼻緒２２及び起立部２１から人差し指〜小指側に分岐する第２鼻緒２３を主要構成として備える。
【００２４】
起立部２１は、草履本体１０における親指と人差し指との間に設定された立ち上がり位置となる起立位置１０Ａから、草履本体１０の上方に向かって起立して設けられる。すなわち、起立部２１は、草履本体１０の表面１０ｄにおいて、草履本体１０の中心線Ｃから親指側に偏位して設けられる。
【００２５】
この起立部２１は、後述するように人差し指程度の太さに形成され、足半草履１を履いた際に親指と人差し指との間が比較的大きく広がるように形成される。これにより、足の指の可動域が広げられるとともに、外反母趾の発生が抑制される。
【００２６】
第１鼻緒２２は、起立部２１から親指側に分岐して第１鼻緒端部２２ａまで延びるように形成され、第２鼻緒２３は、起立部２１から人差し指〜小指側に分岐して第２鼻緒端部２３ａまで延びるように形成されている。
【００２７】
次に、本実施の形態に係る足半草履１の編み方について、図４〜図１３に基づいて説明する。
【００２８】
図４で示すように、足半草履１の草履本体１０は、草履本体１０の形状の基礎となる竪芯に編み芯１２をその先端側から編みかける、いわゆるざる編みによって編み上げられる。
【００２９】
竪芯は、本実施の形態では、両端部１３ａ、１３ａを有する皮籐１３、両端部１４ａ、１４ａを有する第１コード紐１４、両端部１５ａ、１５ａを有する第２コード紐１５、同じく両端部１６ａ、１６ａを有する第３コード紐１６、及び編み芯１２の基端側において編み芯１２と連続するまご芯１２ａ、の５本によって構成される。
【００３０】
第２コード紐１５は、本実施の形態では、竪芯を構成する他の皮籐１３、第１コード紐１４、第３コード紐１６及びまご芯１２ａに対して長大に形成されている。
【００３１】
まず、皮籐１３を最外側としてこの皮籐１３の内側に第１コード紐１４、第２コード紐１５及び第３コード紐１６を順に束ね、これら皮籐１３、第１コード紐１４、第２コード紐１５及び第３コード紐１６のそれぞれの中心を取ってこの中心Ｏを、例えばビニル紐等によって仮留めしておく。この皮籐１３〜第３コード紐１６の中心Ｏが、草履本体１０の先端部１０ａに位置することとなる。
【００３２】
すなわち、皮籐１３〜第３コード紐１６の中心Ｏを仮留めすることによって、中心Ｏを介した皮籐１３〜第３コード紐１６のそれぞれの長さがほぼ対称的な長さに分配される。
【００３３】
この状態で、第２コード紐１５を、この第２コード紐１５の両端部１５ａ、１５ａ側から孤を描くように中心Ｏに向かって折り返して、折り返した第２コード紐１５の両端部１５ａ、１５ａ側を中心Ｏに位置決めする。
【００３４】
折り返した第２コード紐１５の両端部１５ａ、１５ａ側を中心Ｏに位置決めした後、編み芯１２から連続するまご芯１２ａに余長を持たせてまご芯１２ａを中心Ｏに位置決めする。
【００３５】
中心Ｏに位置決めしたまご芯１２ａから連続する編み芯１２によって、折り返した第２コード紐１５の両端部１５ａ、１５ａ側を束ねるように巻回する。
【００３６】
その後、ビニル紐で仮留めした中心Ｏを介した一方側の皮籐１３、第１コード紐１４、第２コード紐１５の３本を、草履本体１０の外縁１０ｃを構成する竪芯として１つに束ねて編み芯１２で巻回し、さらに、中心Ｏを介した他方側に編み芯１２を引き返して皮籐１３、第１コード紐１４、第２コード紐１５の３本を、草履本体１０の外縁１０ｃを構成する竪芯として１つに束ねて編み芯１２で巻回する（引き返し編み）。
【００３７】
この引き返し編みを、およそ７〜８回程度、繰り返す。なお、編み芯１２の上の数字は、引き返し編みの回数を示すものである。
【００３８】
引き返し編みを３〜４回程度行った後に、仮留めしたビニル紐を切断して、仮留めを解除する。
【００３９】
この引き返し編みを行う際に、中心Ｏを介した一方側の第３コード紐１６、同じく一方側の折り返した第２コード紐１５、中心Ｏを通る中心線Ｃに沿ったまご芯１２ａ、中心Ｏを介した他方側の折り返した第２コード紐１５、同じく他方側の第３コード紐１６を有する５本の竪芯に、編み芯１２をそれぞれ編んでいく。
【００４０】
具体的には、引き返し編みの２回目では、編み芯１２を、中心Ｏを介した一方側及び中心Ｏを介した他方側の折り返した第２コード紐１５の上を通す。
【００４１】
引き返し編みの３回目では、編み芯１２を、一方側の第３コード紐１６の下を通して一方側及び他方側の折り返した第２コード紐１５の上を通すとともに、他方側の第３コード紐１６の下を通す。
【００４２】
引き返し編みの４回目では、編み芯１２を、他方側の第３コード紐１６の上を通して他方側の折り返した第２コード紐１５の下を通すとともに、まご芯１２ａの上を通して一方側の折り返した第２コード紐１５の下を通した後に、一方側の第３コード紐１６の上を通す。
【００４３】
引き返し編みの５回目では、編み芯１２を、一方側の第３コード紐１６の下を通して一方側の折り返した第２コード紐１５の上を通すとともに、まご芯１２ａの下を通して他方側の折り返した第２コード紐１５の上を通した後に、他方側の第３コード紐１６の下を通す。
【００４４】
引き返し編みの６回目では、４回目と同様に、編み芯１２を、他方側の第３コード紐１６の上を通して他方側の折り返した第２コード紐１５の下を通すとともに、まご芯１２ａの上を通して一方側の折り返した第２コード紐１５の下を通した後に、一方側の第３コード紐１６の上を通す。
【００４５】
さらに、引き返し編みの７回目では、５回目と同様に、編み芯１２を、一方側の第３コード紐１６の下を通して一方側の折り返した第２コード紐１５の上を通すとともに、まご芯１２ａの下を通して他方側の折り返した第２コード紐１５の上を通した後に、一方側の第３コード紐１６の下を通す。
【００４６】
このように、引き返し編みを７〜８回程度行った後、図５で示すように、編み芯１２よりもやや柔軟性のあるロープ１２Ａを編み芯１２に添え、編み芯１２及びロープ１２Ａの２本によって引き続き、引き返し編みを行う。
【００４７】
この引き返し編みを行うにあたって、中心Ｏを介した一方から中心Ｏを介した他方へ、あるいは他方から一方へ引き返す際に、編み芯１２の間に間隙が生じないように編み芯１２を詰めて編み込むことにより、引き返し編みの回数が増える。
【００４８】
しかも、編み芯１２及びロープ１２Ａを、竪芯である、一方側の第３コード紐１６、一方側の折り返した第２コード紐１５、中心線Ｃに沿ったまご芯１２ａ、他方側の折り返した第２コード紐１５、他方側の第３コード紐１６の１本ずつにそれぞれ編みかけて引き返し編みの回数を増やすことによって、草履本体１０の表面１０ｄ及び裏面１０ｅを、肌理の細かい凹凸を有するように編むことができる。
【００４９】
この草履本体１０の表面１０ｃの肌理の細かい凹凸により、足半草履１を履く者の足の裏に刺激が付与されることから、血流促進の効果が期待できる。
【００５０】
上記の引き返し編みを草履本体１０の後端部１０ｂ側まで行った後、第２コード紐１５の両端部１５ａ、１５ａ側から第２コード紐１５を引っ張る。これにより、第２コード紐１５が編み芯１２を引き締めることから、草履本体１０の形状が整えられる。
【００５１】
その後、図６で示すように、皮籐１３の一方側の端部１３ａを、１つに束ねて編み芯１２で巻回した他方側の皮籐１３、第１コード紐１４及び第２コード紐１５の間に差し込む。同様に、皮籐１３の他方側の端部１３ａを、１つに束ねて編み芯１２で巻回した一方側の皮籐１３、第１コード紐１４及び第２コード紐１５の間に差し込む。これにより、草履本体１０の後端部１０ｂ側の外縁１０ｃが形成される。
【００５２】
図７で示すように、第１コード紐１４を、皮籐１３により形成した草履本体１０の後端部１０ｂ側の外縁１０ｃの内側に沿わせるように配置し、一方側の皮籐１３、他方側の皮籐１３、一方側の第１コード紐１４及び他方側の第１コード紐１４の４本を１つに束ね、束ねたこれらの竪芯に、編み芯１２から連続するまご芯１２ａを複数回、巻回する。
【００５３】
このまご芯１２ａを竪芯に複数回、巻回した位置が、草履本体１０の後端部１０ｂとなる。
【００５４】
この状態において、残余した一方側の第１コード紐１４は、その一方側の端部１４ａ側が、草履本体１０の後端部１０ｂ側の外縁１０ｃの他方側に突出し、残余した他方側の第１コード紐１４は、その他方側の端部１４ａ側が、草履本体１０の後端部１０ｂ側の外縁１０ｃの一方側に突出する。
【００５５】
さらに、図８で示すように、一方側の皮籐１３、他方側の皮籐１３、一方側の第１コード紐１４及び他方側の第１コード紐１４の４本を１つに束ねた竪芯に、この竪芯に巻回したまご芯１２ａの両側に隣接させて、第３コード紐１６を、その両端部１６ａ、１６ａ側においてそれぞれ複数回、巻回する。
【００５６】
一方側の皮籐１３、他方側の皮籐１３、一方側の第１コード紐１４及び他方側の第１コード紐１４の４本を１つに束ねた竪芯に、編み芯１２及び第３コード紐１６を巻回した後、さらに、この竪芯が外部に露出している部分に、残余した編み芯１２を巻回する。
【００５７】
これにより、足半草履１の草履本体１０が編み上げられ、草履本体１０に設けられることとなる鼻緒２０の編み上げ作業に移行する。
【００５８】
図９で示すように、まず、中心Ｏを介した一方側及び他方側の第２コード紐１５、１５の両端部１５ａ、１５ａを、草履本体１０の先端部１０ａの近傍における草履本体１０の中心線Ｃから親指側に偏位した裏面１０ｅから、引き返し編みで編み上げた編み芯１２の間に差し込んで、第２コード紐１５、１５を草履本体１０の表面１０ｄに突出させる。
【００５９】
この草履本体１０の表面１０ｄ側に突出した第２コード紐１５、１５が、第２コード紐１５、１５から連続する第１鼻緒芯２２Ａ及び第２鼻緒芯２３Ａとなる。
【００６０】
このように、第２コード紐１５、１５の両端部１５ａ、１５ａを草履本体１０の裏面１０ｅから表面１０ｄに差し込む位置が、鼻緒２０の起立部２１が起立する起立位置１０Ａとして、草履本体１０の先端部１０ａ近傍の表面１０ｄに設定される。
【００６１】
起立位置１０Ａが、草履本体１０の先端部１０ａの近傍に設定されることによって、足の５本の指が草履本体１０の外縁１０ｃからはみ出すことから、はみ出した５本の指で草履本体１０の先端部１０ａを把持することが可能となる。
【００６２】
図１０で示すように、各鼻緒芯２２Ａ、２３Ａを草履本体１０の表面１０ｃ側に突出させた後、柔軟性を有する複数の鼻緒紐２０Ａ、本実施の形態では４本の鼻緒芯２０Ａのそれぞれの中心を取り、この中心が草履本体１０の表面１０ｄ側において起立位置１０Ａに位置決めされるように、各鼻緒紐２０Ａの両端部を草履本体１０の裏面１０ｅから差し込んで表面１０ｄに突出させる。
【００６３】
このように、４本の鼻緒紐２０Ａの両端部側が草履本体１０の表面１０ｄからそれぞれ突出することから、草履本体１０の表面１０ｄ側においては、鼻緒紐２０Ａは８本となる。
【００６４】
次に、草履本体１０の表面１０ｄに突出させた各鼻緒芯２２Ａ、２３Ａ及び各鼻緒紐２０Ａの１０本を１つに束ね、束ねた状態で、紐２１Ａによって各鼻緒芯２２Ａ、２３Ａ及び各鼻緒紐２０Ａを複数回に亘って巻回して、人差し指程度の太さに巻き上げる。これにより、起立部２１が形成される。
【００６５】
その後、起立部２１を起点として第１鼻緒芯２２Ａを起立部２１から一方側に分岐し、第２鼻緒芯２３Ａを起立部２１から他方側に分岐する。さらに、起立部２１を起点として、８本の鼻緒紐２０Ａを起立部２１から一方側に４本分岐し、残りの４本の鼻緒紐２０Ａを起立部２１から他方側に分岐する。
【００６６】
ここで、本実施の形態では、足の親指側を起立部２１の一方側、人差し指〜小指側を起立部２１の他方側と称する。
【００６７】
しかる後、図１１で示すように、第１鼻緒芯２２Ａ（図示を省略する）を軸芯として、この第１鼻緒芯２２Ａに鼻緒紐２０Ａを２本ずつ螺旋状に間隙なく巻回して、第１鼻緒２２を編み上げる（四ツ組編み）。
【００６８】
同様に、第２鼻緒芯２３Ａを軸芯として、この第２鼻緒芯２３Ａに鼻緒紐２０Ａを２本ずつ螺旋状に間隙なく巻回して、第２鼻緒２３を編み上げる。
【００６９】
このように、第１鼻緒芯２２Ａ及び第２鼻緒芯２３Ａを軸芯として、柔軟性を有する鼻緒紐２０Ａにより四ツ組編みで鼻緒２０を編み上げることによって、鼻緒２０の伸びが抑制されるとともに、足の甲に接触する部分の肌触りが向上する。
【００７０】
図１２で示すように、第１鼻緒２２を編み上げた後に残余した第１鼻緒芯２２Ａ及び２本の鼻緒紐２０Ａを、草履本体１０の表面１０ｄから差し込んで、第１鼻緒芯２２Ａ及び２本の鼻緒紐２０Ａを草履本体１０の裏面１０ｅに突出させる。
【００７１】
一方、草履本体１０の表面１０ｄに差し込んでいない２本の鼻緒紐２０Ａを、草履本体１０の表面１０ｄから外縁１０ｃを介して草履本体１０の裏面１０ｅに回し、この裏面１０ｅに回した２本の鼻緒紐２０Ａと裏面１０ｅから突出させた２本の鼻緒紐２０Ａとを、草履本体１０の裏面１０ｅにおいて片結びして互いに結束する。
【００７２】
同様に、第２鼻緒２３を編み上げた後に残余した第２鼻緒芯２３Ａ及び２本の鼻緒紐２０Ａを、草履本体１０の表面１０ｄから差し込んで、第２鼻緒芯２３Ａ及び２本の鼻緒紐２０Ａを草履本体１０の裏面１０ｅに突出させる。
【００７３】
一方、草履本体１０の表面１０ｄに差し込んでいない２本の鼻緒紐２０Ａを、草履本体１０の表面１０ｄから外縁１０ｃを介して草履本体１０の裏面１０ｅに回し、この裏面１０ｅに回した２本の鼻緒紐２０Ａと裏面１０ｅから突出させた２本の鼻緒紐２０Ａとを、草履本体１０の裏面１０ｅにおいて片結びして互いに結束する。
【００７４】
このように、第１鼻緒芯２２Ａ及び２本の鼻緒紐２０Ａを草履本体１０の表面１０ｄに差し込んだ位置が、図１〜３で示す第１鼻緒端部２２ａとして設定され、第２鼻緒芯２３Ａ及び２本の鼻緒紐２０Ａを草履本体１０の表面１０ｄに差し込んだ位置が、図１で示す第２鼻緒端部２３ａとして設定される。
【００７５】
その後、図１３で示すように、残余した第１鼻緒芯２２Ａと第２鼻緒芯２３Ａとを、草履本体１０の裏面１０ｅの後端部１０ｂ側において片結びして互いに結束し、第１鼻緒２２側で残余した４本の鼻緒紐２０Ａと第２鼻緒２３側で残余した４本の鼻緒紐２０Ａとを、草履本体１０の裏面１０ｅの後端部１０ｂ側において片結びして互いに結束する。
【００７６】
さらに、草履本体１０の後端部１０ｂ側の外縁１０ｃの他方側に突出する残余した一方側の第１コード紐１４と、草履本体１０の後端部１０ｂ側の外縁１０ｃの一方側に突出する残余した他方側の第１コード紐１４とを、草履本体１０の裏面１０ｅの後端部１０ｂ側において片結びして互いに結束する。
【００７７】
これにより、草履本体１０の後端部１０ｂ側のほぼ中央位置、すなわち、土踏まずの前部側に相当する位置に結束部１１Ａが形成される。この結束部１１Ａを、草履本体１０の表面１０ｄに押し込みつつ、草履本体１０の裏面１０ｅに、図２及び図３で示した底敷３０を接着剤等で強固に貼着する。
【００７８】
これにより、結束部１１Ａが表面１０ｄから土踏まず側に突出する凸部１１として構成され、足半草履１が形成される。
【００７９】
この足半草履１を履くことによって、足の親指と人差し指との間に起立部２１が差し込まれて親指と人差し指との間が広げられた状態で、５本の指が草履本体１０からはみ出すことから、足の可動域が広げられて足の指の自由度が向上する。従って、５本の指が楕円形の草履本体１０の先端部１０ａを把持することができることから、足の裏の活性化が促される。
【００８０】
さらに、草履本体１０の後端部１０ｂが土踏まずの前部側に位置するとともに、この部分に土踏まず側に突出する凸部１１が形成されていることから、土踏まずの後端部分から踵にかけて足の裏が地面から離間した状態となり、土踏まずの部分を湾曲したアーチ状とすることが促される。
【００８１】
しかも、草履本体１０の表面１０ｄは、肌理の細かい凹凸を有するように編み上げられていることから、足の裏に刺激が付与されて、血流が促進される。
【００８２】
従って、本実施の形態に係る足半草履１を履くことによって、足の裏の筋肉が刺激されて足の裏が活性化され、低下した足の機能を回復することができる。
【００８３】
なお、本考案は上記実施の形態に限定されることはなく、考案の趣旨を逸脱しない範囲で種々変更可能である。上記実施の形態では、草履本体１０の裏面１０ｅに底敷３０が貼着されることを説明したが、足半草履１を外履き用の草履とする場合には、底敷３０の表面に、例えば、数ミリ程度の厚みを有するゴム製の底を貼着してもよい。
【符号の説明】
【００８４】
１      足半草履
１０    草履本体
１０Ａ    起立位置（立ち上がり位置）
１０ａ    先端部
１０ｂ    後端部
１０ｃ    外縁
１０ｄ    表面
１１    凸部
１２    編み芯
１２ａ    まご芯
１３    皮籐
１５    第２コード紐
２０    鼻緒
２１    起立部（立ち上がり部分）
２２    第１鼻緒
２２Ａ    第１鼻緒芯
２３    第２鼻緒
２３Ａ    第２鼻緒芯
【図１】
0003188536.tif 000003
【図２】
0003188536.tif 000004
【図３】
0003188536.tif 000005
【図４】
0003188536.tif 000006
【図５】
0003188536.tif 000007
【図６】
0003188536.tif 000008
【図７】
0003188536.tif 000009
【図８】
0003188536.tif 000010
【図９】
0003188536.tif 000011
【図１０】
0003188536.tif 000012
【図１１】
0003188536.tif 000013
【図１２】
0003188536.tif 000014
【図１３】
0003188536.tif 000015